(57)【要約】【課題】リアルタイムで他人を眩惑しているか否かを判定するために必要な技術を提供する。【解決手段】ライト制御装置においては、眩惑検出処理にて、防眩エリアマップを参照することによって、他人の位置に対応する境界距離を抽出し（Ｓ２６０，Ｓ２７０）、距離検出装置が検出した実測距離と境界距離とを比較し、実測距離が境界距離以下であれば（Ｓ２７０：ＹＥＳ）、自車両のヘッドライトによって他人を眩惑している旨を出力する（Ｓ２８０）。ただし、防眩エリアマップとは、自車両のヘッドライトによって他人が眩惑されると推定される自車両と他人との距離の最大値を境界距離とし、撮像画像の領域を格子状に分割してなる分割領域毎に境界距離を示すことで構成されている。【選択図】図８
2010030522.tif 000002
【特許請求の範囲】
【請求項１】
自車両の前照灯によって他人を眩惑していることを検出する眩惑検出装置であって、
自車両の前方を撮像する撮像手段による撮像画像中における他人の位置を抽出する他人抽出手段と、
他人までの実際の距離である実測距離を検出する実測距離検出手段による検出結果を取得する距離取得手段と、
自車両の前照灯によって前記他人が眩惑されると推定される自車両と他人との距離の最大値を境界距離とし、前記撮像画像の領域を格子状に分割してなる分割領域毎に前記境界距離を示すことで構成された防眩エリアマップ、を参照することによって、前記他人抽出手段が抽出した他人の位置に対応する境界距離を抽出する第１境界距離抽出手段と、
前記実測距離検出手段が検出した実測距離と前記第１境界距離抽出手段が抽出した境界距離とを比較し、前記実測距離が前記境界距離以下であれば、自車両の前照灯によって他人を眩惑している旨を出力する眩惑判定出力手段と、
を備えたことを特徴とする眩惑検出装置。
【請求項２】
請求項１に記載の眩惑検出装置において、
前記防眩エリアマップでは、前記分割領域毎に前記他人のアイポイントが位置するものとして、該分割領域毎に該他人の視線と当該車両の前照灯の照射方向とがなす入射角度および該他人の眼前照度をSchmidt-Clausen and Bindels の式に入力することによって算出された不快グレアの評価値が、予め設定された閾値以下となる距離の最大値を前記境界距離として設定していること
を特徴とする眩惑検出装置。
【請求項３】
請求項１または請求項２に記載の眩惑検出装置において、
前記第１境界距離抽出手段は、現在の前照灯の照射状態における境界距離が対応付けられた防眩エリアマップである第１エリアマップを参照することによって前記他人の位置に対応する境界距離である第１境界距離を抽出するよう構成されており、
自車両の前照灯の照射状態を現在の前照灯の照射状態とは異なる予め設定された他の照射状態に変更したときにおける前記境界距離が対応付けられた防眩エリアマップである第２エリアマップ、を参照することによって、前記他人抽出手段が抽出した他人の位置に対応する境界距離である第２境界距離を抽出する第２境界距離抽出手段と、
前記第２境界距離抽出手段が検出した第２境界距離と前記第１境界距離抽出手段が抽出した第１境界距離とを比較し、前記第１境界距離よりも前記第２境界距離が大きければ、前照灯の照射状態を前記他の照射状態に変更するとよい旨を出力する照射状態変更出力手段と、
を備えたことを特徴とする眩惑検出装置。
【請求項４】
請求項１〜請求項３の何れかに記載における各手段としての機能をコンピュータにおいて実行するための眩惑検出プログラム。
【請求項５】
車両に搭載され、前照灯による光量または照射範囲を制御する前照灯制御装置であって、
自車両の前照灯によって他人を眩惑していることを検出する眩惑検出手段と、
前記眩惑検出手段によって他人を眩惑している旨が出力されると、前記撮像画像中の他人の位置における前記前照灯による光量が少なくなるように、前記前照灯の光量または照射範囲を変更する光量変更手段と、
を備え、
前記眩惑検出手段は、請求項１〜請求項３の何れかに記載の眩惑検出装置として構成されていること
を特徴とする前照灯制御装置。
【請求項６】
車両に搭載され、前照灯による光量または照射範囲を制御する前照灯制御装置であって、
自車両の前照灯によって、他人を眩惑していることを検出するとともに、現在の前照灯の照射状態から予め設定された他の照射状態に変更したときに他人を眩惑する度合いが低くなるか否かを検出する眩惑検出手段と、
前記眩惑検出手段によって、他人を眩惑している旨が出力され、かつ前照灯の照射状態を前記他の照射状態に変更したときに他人を眩惑する度合いが低くなる旨が出力された場合に、前照灯の照射状態を前記他の照射に変更する光量変更手段と、
を備え、
前記眩惑検出手段は、請求項３に記載の眩惑検出装置として構成されていること
を特徴とする前照灯制御装置。
【発明の詳細な説明】
【技術分野】
【０００１】
本発明は、自車両の前照灯によって他人を眩惑していることを検出する眩惑検出装置、眩惑検出プログラム、およびこれらの機能を有する前照灯制御装置に関する。
【背景技術】
【０００２】
従来、先行車または対向車（以下「他車両」という）の車両幅、自車両に対する相対角度や相対距離、自車両の車速やステアリング位置等を検出し、その検出結果に基づいて、前照灯の強度（照射の明るさ）を左右独立に制御したり、前照灯の光軸を左右上下に制御したりすることによって、他車両のドライバが眩惑される（グレアを不快と感じる）ことのないように、前照灯の強度や照射範囲を調整する配光制御装置が知られている（例えば、特許文献１参照）。
【０００３】
しかし、この配光制御装置では、グレアの程度を定量的に判断することなく配光制御を行っているため、前照灯の光軸を必要以上に制御してしまうことによって、配光制御装置を備えた車両（以下「自車両」という）のドライバの視界が必要以上に制限されたり、逆に、光軸の制御が不十分で、他車両のドライバにグレアを不快と感じさせてしまったりするという問題がある。
【０００４】
これに対して、他車両のドライバが受けるグレアの程度を表す評価値Ｗを、（１）式に示すSchmidt-Clausen and Bindels の式を用いて求め、その算出結果を配光制御に利用することが検討されている（非特許文献１参照）。
【０００５】
【数１】
2010030522.tif 000003
なお、ＥBiは他車両のドライバの眼前照度、θiは他車両のドライバの視線と自車両のランプの光軸方向とが成す入射角度、Ｌuは他車両のドライバの順応輝度、Ｃp00，ＣpLは定数であり、ｉは前照灯を構成する各ランプに対応する識別子である。
【０００６】
具体的には、この評価値Ｗを、表１に示すドボーの９点尺度と比較することにより、Ｗ≦４の時にドライバがグレアを不快に感じているものとして、Ｗ＞４となるように配光制御を行うことが考えられている。
【０００７】
【表１】
2010030522.tif 000004
【特許文献１】特開２００４−１６１０８２号公報
【非特許文献１】益子仁一、森田和元、岡田竹雄、関根道昭「可変配光前照灯（ＡＦＳ）が対向車ドライバに与える眩惑状況の解析」平成１４年度交通安全環境研究所研究発表会講演概要集、ｐ．７９−１９９（２００２）
【発明の開示】
【発明が解決しようとする課題】
【０００８】
しかし、評価値Ｗの算出には、時々刻々と変化する自車両，他車両間の状況に応じて眼前照度ＥBiや、入射角度θiを求める必要がある。特に、前照灯は、いわゆるハイビームと呼ばれる走行用前照灯と、いわゆるロービームと呼ばれるすれ違い用前照灯とからなり、各一対のランプ、即ち合計４個のランプによって構成されているため、そのランプ毎に眼前照度を求める必要がある。このため、これら眼前照度ＥBiや入射角度θiの算出には多くの処理を必要とし、評価値Ｗに基づいてリアルタイムで他人を眩惑しているか否かを判定するのは困難であるという問題があった。
【０００９】
本発明は、上記問題点を解決するために、リアルタイムで他人を眩惑しているか否かを判定するために必要な技術を提供することを目的とする。
【課題を解決するための手段】
【００１０】
かかる目的を達成するために成された請求項１に記載の眩惑検出装置において、第１境界距離抽出手段は、防眩エリアマップを参照することによって、前記他人抽出手段が抽出した他人の位置に対応する境界距離を抽出する。ただし、防眩エリアマップとは、自車両の前照灯によって他人が眩惑されると推定される自車両と他人との距離の最大値を境界距離とし、撮像画像の領域を格子状に分割してなる分割領域毎に境界距離を示すことで構成されている。
【００１１】
そして、眩惑判定出力手段は、実測距離検出手段が検出した実測距離と第１境界距離抽出手段が抽出した境界距離とを比較し、実測距離が境界距離以下であれば、自車両の前照灯によって他人を眩惑している旨を出力する。
【００１２】
このような眩惑検出装置によれば、防眩エリアマップに基づく境界距離と実測距離とを比較することによって他人を眩惑しているか否かを判定するので、この判定の際の処理を簡素な処理にすることができ、この結果、リアルタイムで他人を眩惑しているか否かを判定することができる。
【００１３】
なお、本発明において、「他人」とは、例えば、他車両の乗員や通行人等、撮像手段による撮像範囲内に位置する人間が該当する。
ところで、請求項１に記載の眩惑検出装置においては、請求項２に記載のように、防眩エリアマップでは、分割領域毎に他人のアイポイントが位置するものとして、分割領域毎に他人の視線と車両の前照灯の照射方向とがなす入射角度および他人の眼前照度をSchmidt-Clausen and Bindels の式に入力することによって算出された不快グレアの評価値が予め設定された閾値以下となる距離の最大値を境界距離として設定していてもよい。
【００１４】
このような眩惑検出装置によれば、眩惑されているか否かの判定の際に利用する防眩エリアマップをSchmidt-Clausen and Bindelsの式に基づいて設定しているので、境界距離を論理的かつ高精度に設定することができる。
【００１５】
なお、防眩エリアマップの生成方法としては、例えば以下のような方法を採用することができる。即ち前提として、分割領域毎に、分割領域の一つを対象領域、予め設定された複数の設定車間距離の一つを指定距離とし、前記対象領域に前記他人のアイポイントが位置し、かつ該他人が自車両から前記指定距離だけ離れた位置に存在するものとする。そして、前記他人の眼前照度および前記自車両のドライバの視線と前記自車両の前照灯の照射方向とがなす入射角度を算出し、その算出された前記眼前照度および前記入射角度に基づき、Schmidt-Clausen and Bindels の式を用いて不快グレアの評価値を算出する。さらに、前記対象領域を固定し前記設定車間距離のそれぞれについて前記評価値算出手段に前記評価値を算出させた結果に基づき、該評価値が予め設定された閾値以下となる前記設定車間距離の最大値を前記境界距離として抽出する。このようにして全ての分割領域において境界距離を算出すれば、防眩エリアマップを生成することができる。
【００１６】
さらに、請求項１または請求項２に記載の眩惑検出装置においては、請求項３に記載のように、第１境界距離抽出手段は、現在の前照灯の照射状態における境界距離が対応付けられた防眩エリアマップである第１エリアマップを参照することによって他人の位置に対応する境界距離である第１境界距離を抽出するよう構成されており、自車両の前照灯の照射状態を現在の前照灯の照射状態とは異なる予め設定された他の照射状態に変更したときにおける境界距離が対応付けられた防眩エリアマップである第２エリアマップ、を参照することによって、他人抽出手段が抽出した他人の位置に対応する境界距離である第２境界距離を抽出する第２境界距離抽出手段と、第２境界距離と第１境界距離とを比較し、第１境界距離よりも前記第２境界距離が大きければ、前照灯の照射状態を他の照射状態に変更するとよい旨を出力する照射状態変更出力手段と、を備えていてもよい。
【００１７】
このような眩惑検出装置によれば、自車両の前照灯の照射状態を現在の前照灯の照射状態から予め設定された他の照射状態に変更したときに、他人を眩惑する度合いが軽減するか否かを判定することができる。従って、前照灯の照射状態を他の照射状態に切り換える前に、前照灯の照射状態を切り換えることに意義があるか否かを検証することができる。
【００１８】
なお、第２エリアマップとしては、複数の防眩エリアマップが準備されていてもよい。この場合において照射状態変更手段は、第１境界距離よりも境界距離が大きくなる第２エリアマップを選択するようにすればよい。この際、第１境界距離と、全ての第２エリアマップの境界距離とを比較する必要はなく、第１境界距離よりも境界距離が大きくなる第２エリアマップが抽出できた時点で、その第２エリアマップを採用すればよい。また、第１境界距離と、全ての第２エリアマップの境界距離とを比較する場合には、第２境界距離が実測距離以上であって、かつ最も実測距離に近い値のものを採用すればよい。
【００１９】
このようにすれば、自車両のドライバの視界を最大限確保しつつ、他人を眩惑しないようにすることができる。
次に、請求項４に記載の眩惑検出プログラムにおいては、請求項１〜請求項３の何れかに記載における各手段としての機能をコンピュータにおいて実行するためのプログラムであることを特徴としている。
【００２０】
このような眩惑検出プログラムによれば、少なくとも請求項１に記載の眩惑検出装置と同様の効果を享受することができる。
さらに、上記目的を達成するために成された請求項５に記載の前照灯制御装置においては、眩惑検出手段が自車両の前照灯によって他人を眩惑していることを検出し、眩惑検出手段によって他人を眩惑している旨が出力されると、光量変更手段が撮像画像中の他人の位置における前照灯による光量が少なくなるように、前照灯の光量または照射範囲を変更する。そして、眩惑検出手段は、請求項１〜請求項３の何れかに記載の眩惑検出装置として構成されている。
【００２１】
このような前照灯制御装置によれば、眩惑検出手段が請求項１〜請求項３の何れかに記載の眩惑検出装置として構成されているので、他人を眩惑しているか否かを良好に判断することができる。そして、他人を眩惑していると判定された場合に、撮像画像中の他人の位置における前照灯による光量が少なくするので、他人を眩惑する度合いを軽減することができる。
【００２２】
また、上記目的を達成するために成された請求項６に記載の前照灯制御装置において、眩惑検出手段は、他人を眩惑していることを検出するとともに、現在の前照灯の照射状態から予め設定された他の照射状態に変更したときに他人を眩惑する度合いが低くなるか否かを検出する。そして、光量変更手段は、眩惑検出手段によって、他人を眩惑している旨が出力され、かつ前照灯の照射状態を他の照射状態に変更したときに他人を眩惑する度合いが低くなる旨が出力された場合に、前照灯の照射状態を他の照射に変更する。ただし、眩惑検出手段は、請求項３に記載の眩惑検出装置として構成されている。
【００２３】
このような前照灯制御装置によれば、眩惑検出手段が請求項３に記載の眩惑検出装置として構成されているので、前照灯の照射状態を他の照射状態に切り換える前に、前照灯の照射状態を切り換えることに意義があるか否かを検証することができる。そして、本発明の前照灯制御装置によれば、前照灯の照射状態を他の照射状態に変更したときに他人を眩惑する度合いが低くなる場合に、前照灯の照射状態を他の照射に変更するので、前照灯の照射状態が無意味に変更されることを防止することができる。
【発明を実施するための最良の形態】
【００２４】
以下に本発明にかかる実施の形態を図面と共に説明する。
［第１実施形態］
［装置の構成］
図１は本発明が適用されたライト制御装置１の概略構成を示すブロック図である。
【００２５】
このライト制御装置１（前照灯制御装置）は、例えば乗用車等の車両（以下、「自車両」という。）に搭載された装置であって、図１に示すように、通信プロトコルＣＡＮ(Controller Area Network)によって通信が実施されるＣＡＮ通信線３を介して接続された演算部１０（眩惑検出装置）、前方カメラ１５（撮像手段）、距離検出装置１６（実測距離検出手段）を備えている。また、演算部１０は、通信プロトコルＬＩＮ(Local Interconnect Network)によって通信が実施されるＬＩＮ通信線５にも接続されており、このＬＩＮ通信線５はヘッドライト２０（前照灯）に接続されている。
【００２６】
前方カメラ１５は、個体撮像素子を二次元格子状に配列することで構成されたイメージセンサ（ＣＣＤイメージセンサまたはＣＭＯＳイメージセンサ）、および被写体からの光をイメージセンサ上に集光するレンズ等を用いて構成された周知のものであり、自車両の内部や自車両の前部においてヘッドライト２０による照射範囲内が撮像範囲内に含まれるように車幅方向の中心位置に配置されている。そして、前方カメラ１５は、撮像画像を演算部１０に送る。
【００２７】
距離検出装置１６は、例えば自車両の前部に配置されたレーダやソナーとして構成されており、特に前方カメラ１５における撮像範囲内において、他車両や通行人等の対象物までの距離およびその位置を検出可能に構成されている。なお、距離検出装置１６の構成としては、前方カメラ１５による撮像画像を画像処理することによって（例えば一対のライトの間隔等）他車両までの距離を推定するよう構成されていてもよい。
【００２８】
演算部１０は、ＣＰＵ、ＲＯＭ、ＲＡＭ等を備えた周知のマイコンとして構成されており、自車両に関する種々の情報が記録されたデータ記録部１１も備えられている。なお、データ記録部１１には、後述する防眩エリアマップ等が記録されている。
【００２９】
演算部１０は、図示しない各種センサ（車輪速度センサ、舵角センサ、ヨーレートセンサ等）が検出した検出結果を、ＣＡＮ通信線３を介して受信し、該受信した検出結果に応じて、ヘッドライト２０のランプ（各種ＬＥＤ２２，２３）の光軸（以下、単に「光軸」ともいう。）が向けられるべき角度（照射角度）を決定する処理や、点灯させるランプを選択する処理等を実施する。なお、本実施形態においては、各ヘッドライト２０が光軸の向きを変更する構成（駆動機構やアクチュエータの構成）については図示を省略する。
【００３０】
また、演算部１０は、この決定した照射角度に実際の光軸が向けられるように、また、所定のランプを点灯させるように、照射角度および点灯させるランプを指定した制御指令を、ＬＩＮ通信線５を介してヘッドライト２０に対して送信する。なお、この制御指令に含まれる照射角度の情報としては、鉛直方向（車両の進行方向に対して前後方向）における角度の情報と、鉛直方向とは直交する水平方向（車両の進行方向に対して左右方向）における角度の情報とが含まれる。
【００３１】
ここで、ヘッドライト２０としては、周知の車両のように、車両の前方における左右２箇所に左ヘッドライトおよび右ヘッドライトを備えた構成にされている。なお、図１では、一方のヘッドライトのみを図示している。
【００３２】
演算部１０による制御指令は、これらのヘッドライト毎に送信される。つまり、演算部１０は、制御指令を送信する通信相手を一方のヘッドライト、両方のヘッドライト２０とすることもできる。各ヘッドライト２０は、図１に示すように、制御部２１と、多数のＨＩビーム用ＬＥＤ２２と、多数のＬＯＷビーム用ＬＥＤ２３とを備えている。
【００３３】
制御部２１は、それぞれ、ＣＰＵ、ＲＯＭ、ＲＡＭ等を備えた周知のマイコンとして構成されており、演算部１０による制御指令に基づいて、該指令通りに光軸の向きを制御したり、ＬＥＤ２２，２３の点灯・消灯を制御（点灯制御）したりする。
【００３４】
ここで、データ記録部１１に格納された防眩エリアマップについて説明する。防眩エリアマップを一言で述べると、自車両のヘッドライト２０によって他人が眩惑されると推定される自車両と他人との距離の最大値を境界距離とし、前方カメラ１５による撮像画像の領域を格子状に分割してなる分割領域毎に境界距離を示すことで構成されたマップである。特に、本実施形態（第１実施形態）においては、ＨＩビーム用ＬＥＤ２２およびＬＯＷビーム用ＬＥＤ２３の全てを点灯させたときに対応する防眩エリアマップがデータ記録部１１に格納されている。
【００３５】
この防眩エリアマップの詳細を図２に示す。図２は、前方カメラ１５による撮像画像の領域を画素毎に分割した模式図であり、この模式図に併せて、縦方向および横方向の中央部分において対応付けられた境界距離を示すグラフもそれぞれ表示している。
【００３６】
防眩エリアマップにおける領域内の位置と、境界距離との関係は、ヘッドライト２０による光軸の向きや照射範囲等に依存し、図２に示す例では、マップの中央付近（光軸の付近）が最も境界距離が大きく、ここから離れるにつれて連続的に境界距離が減少している。なお、一般的なヘッドライト２０においては、車両の右側前方よりも左側前方に広い照射範囲を有するため、本実施形態においても車両の右側前方よりも左側前方の境界距離が大きくなっている。
【００３７】
［防眩エリアマップの詳細］
防眩エリアマップは、各分割領域に対応付けられた境界距離が上記のような傾向を有していればよいが、本実施形態の防眩エリアマップにおいては、他人が感じる眩しさのレベルの検出精度を向上させるために、以下に示す手法で作成されている。
【００３８】
なお、図３（ｂ）に示すように、ヘッドライト２０のＨＩビーム用ＬＥＤ２２は、一対のランプＬ１，Ｌ２として配置されており、ＬＯＷビーム用ＬＥＤ２３は、ランプＬ１，Ｌ２より車幅方向の外側、かつランプＬ１，Ｌ２より光軸が下方を向くように設置された一対のランプＬ３，Ｌ４として構成されているものとする。また、ＬＯＷビーム用ＬＥＤ２３は単独で点灯するが、ＨＩビーム用ＬＥＤ２２は単独で点灯することはなく、常に、ＬＯＷビーム用ＬＥＤ２３と共に点灯するように構成されているものとする。
【００３９】
さらに、多数のＨＩビーム用ＬＥＤ２２は、全て同時に点灯・消灯するものとする。
まず、防眩エリアマップの作成にあたって用意すべきデータについて説明する。
図４（ａ）は、配光データの詳細を示す表であり、図４（ｂ）は、ヘッドライト２０から２５ｍ離れた位置で、仰角−２０〜２０［ｄｅｇ］、ヨー角−４５〜４５［ｄｅｇ］の範囲でヘッドライト２０の照度を測定した結果を表す等光度曲線（配光データをグラフ化したもの）である。
【００４０】
図４（ａ）に示すように、配光データは、ビーム種類（ＨＩビーム／ＬＯＷビーム）、ビーム位置（左／右）、撮影距離Ｒ［ｍ］、仰角最小値αMIN［ｄｅｇ］、仰角最大値αMAX［ｄｅｇ］、角度きざみΔα（＝Δβ）［ｄｅｇ］、ヨー角最小値βMIN［ｄｅｇ］、ヨー角最大値βMAX［ｄｅｇ］、｛（αMAX−αMIN）／Δα｝×｛（βMAX−βMIN）／Δβ｝個の輝度データＡαβ［ｃｄ／ｍ2］（ただし、αMIN≦α≦αMAX，βMIN≦β≦βMAX）からなる。
【００４１】
そして、ビーム種類とビーム位置とで特定される、ヘッドライト２０を構成する４個のランプＬ１〜Ｌ４に対応した４種類の配光データが用意されている。
次に、図５は、予め設定される各種パラメータ，定数の詳細を示す表である。
【００４２】
図５（ａ）に示すように、眼前照度算出パラメータには、車線幅ＷROAD、自車両の中心と他車両のドライバとのオフセット幅ＷOFFS、ＨＩビーム用ＬＥＤ２２（Ｌ１，Ｌ２）の設置高さＨLA、ＬＯＷビーム用ＬＥＤ２３（Ｌ３，Ｌ４）の幅ＷLB、ＬＯＷビーム用ＬＥＤ２３の設置高さＨLB、カメラ高さＨCM、高さ係数Ｋ、アイポイント高さＨEP、フロントガラスのガラス透過率τがある。
【００４３】
なお、図３（ｂ）（ｃ）に示すように、各ランプの設置高さＨLA，ＨLB、カメラ高さＨCMおよびアイポイント高さＨEPとは路面からの高さであり、各ランプの幅ＷLA，ＷLBとは、そのランプを構成する一対のヘッドライト２０の設置間隔のことである。また、高さ係数Ｋとは、自車両に設置される前方カメラ１５の設置高さＨCMに応じて設定される係数であり、各ランプの設置高さＨLA，ＨLBに乗じることによって、前方カメラ１５の設置高さＨCMが異なることにより生じる防眩エリアマップの誤差分を補正するために用いてもよい。
【００４４】
図５（ｂ）に示すように、評価値Ｗの算出に使用する定数には、順応輝度Ｌu［ｃｄ／ｍ2］、定数Ｃp00［ｌｘ／ｍｉｎ0.46］、定数ＣpL［ｃｄ／ｍ2］がある。
なお、評価値の算出には、（１）式として示したSchmidt-Clausen and Bindels の式が用いられ、Ｃp00＝０．００３，ＣpL＝０．０４である。また、順応輝度Ｌuとは、対象
車のドライバが順応している輝度のことであり、ここではＬu＝１を用いる。
【００４５】
さらに、防眩エリアマップの出力形式として、Ｄｅｇ出力する際の出力規定パラメータとしては、図５（ｃ）に示すように、仰角範囲：下限角−θxLIM〜上限角θxLIM［ｄｅｇ］、仰角きざみΔθx［ｄｅｇ］、ヨー角範囲：下限角−θyLIM〜上限角θyLIM［ｄｅｇ］、ヨー角きざみΔθｙ［ｄｅｇ］（図３（ａ）参照）がある。この場合、仰角（縦）方向の分割領域数は、２θxLIM／Δθx個となり、ヨー角（横）方向の分割領域数は、２θyLIM／Δθy個となる。
【００４６】
一方、Ｐｉｘ出力設定の出力規定パラメータには、図５（ｄ）に示すように、車載カメラの焦点距離ｆ［ｍｍ］、撮像素子サイズ：幅ＷEL×高さＨEL［ｍｍ］、画像サイズ：横ＷPX×縦ＨPX［ｐｉｘ］がある。
【００４７】
Ｄｅｇ出力設定によって生成される防眩エリアマップは、ヨー角範囲−θyLIM 〜θyLIM をヨー角きざみΔθyで表した角度を横軸、仰角範囲−θxLIM〜θxLIMを仰角きざみΔθxで表した角度を縦軸として、ヨー角θyと仰角θxとで特定される分割領域のそれぞれに、境界距離を対応付けて記憶したものとなる。
【００４８】
また、Ｐｉｘ出力設定によって生成される防眩エリアマップは、画素の位置を表す幅方向および高さ方向の番号によって特定される分割領域（画素）のそれぞれに境界距離を対応付けて記憶したものとなる。
【００４９】
ただし、Ｐｉｘ出力設定による防眩エリアマップは、その分割領域（ＷPX×ＨPX個の画素）を、焦点距離ｆ，撮像素子サイズＷEL×ＨELが図６（ｃ）に示す関係を有することから規定される関係式（２）（３）よって、Ｄｅｇ出力設定による防眩エリアマップの各分割領域と対応づけることによって作成される。なお、分割領域は、仰角方向の画素位置をｘ（−ＨPX／２≦ｘ≦ＨPX／２）、ヨー方向の画素位置をｙ（−ＷPX／２≦ｙ≦ＨPX／２）とする。
【００５０】
【数２】
2010030522.tif 000005
上記のデータやパラメータ等を利用して、防眩エリアマップを生成する。具体的には、撮像画像の画素毎に、下記の演算を実施する。
【００５１】
即ち、Ｄｅｇ出力設定の出力規定パラメータθx，θy（−θxLIM≦θx≦θxLIM，−θyLIM≦θy≦θyLIM，ただし、Δθx，Δθyきざみ）で特定される分割領域の中から、境界距離が算出されていないものを対象分割領域毎に、予め用意された設定車間距離（１ｍきざみで１０ｍ〜３０００ｍ）を変更しながら、全ての設定車間距離（他車両間距離Ｄ）について評価値Ｗを順次算出する。
【００５２】
各評価値Ｗを算出するには、眼前照度算出パラメータに基づいて、ヘッドライト２０を構成する４個のランプＬ１〜Ｌ４のそれぞれについて、他車両のドライバの視線と各ランプＬｉ（ｉ＝１〜４）の光軸方向とがなす入射角度（仰角αi，ヨー角βi）を算出する必要がある。また、ヘッドライト２０を構成するランプＬｉ毎に、個々のランプＬｉからの照射光による、他車両のドライバに対する眼前照度（以下「個別眼前照度」という）ＥBiについても算出する必要がある。
【００５３】
仰角α1〜α4を算出する際には、（４）（５）式（図６（ａ）参照）を用い、ヨー角β1〜β4を算出する際には、（６）〜（９）式（図６（ｂ）参照）を用いる。
【００５４】
【数３】
2010030522.tif 000006
続いて、この個別眼前照度ＥBiを算出する際には、ランプＬｉに対する配光データに基づき、仰角αｉ，ヨー角βｉで特定される位置の輝度データＡｉを抽出し、その抽出した輝度データＡｉ，他車両間距離Ｄ，ガラス透過率τを用いた（１０）式によって算出する。
【００５５】
【数４】
2010030522.tif 000007
そして、個別眼前照度ＥB1〜ＥB4と、他車両のドライバとランプ光軸とが成す角θ1〜θ4（＝β1〜β4）とに基づいて、上述した（１）式、即ち、Schmidt-Clausen and Bindels の式を用いて、不快グレアの評価値Ｗを算出する。
【００５６】
以上説明した手法によって生成される防眩エリアマップは、自車両のヘッドライト２０によって他車両のドライバが眩惑される（グレアを不快に感じる）と推定される設定車間距離の最大値を境界距離として、前方カメラ１５の撮像領域を格子状に分割してなる分割領域のぞれぞれと、その分割領域での境界距離とを対応付けたものとなる。
【００５７】
従って、この防眩エリアマップによれば、自車両の前方カメラ１５から得られた撮像画像中で他車両が撮像されている分割領域と、他車両，自車両間の距離とが分かれば、その他車両のドライバが自車両のヘッドライト２０によって眩惑されているか否かを直ちに推定可能となる。
【００５８】
なお、上記の手法によって生成された防眩エリアマップを利用すれば、歩行者等の通行人を眩惑しているか否かについても概ね推定することができる。ただし、より精度を向上させるためには、通行人のアイポイントにおける個別眼前照度を検出し、通行人専用の防眩エリアマップを生成すればよい。この場合、後述するライト制御処理のうちの眩惑検出処理では、検出した「他人」の種別（車両のドライバか通行人か）に応じて利用する防眩エリアマップを選択すればよい。
【００５９】
［ライト制御処理］
上記のような構成を備えたライト制御装置１において、他人を眩惑している場合に眩惑の度合いを軽減する処理について図７，図８，および図９（ａ）を用いて説明する。図７は演算部１０が実行するライト制御処理を示すフローチャート、図８はライト制御処理のうちの眩惑検出処理を示すフローチャート、図９（ａ）はライト制御処理のうちの光量変更処理を示すフローチャートである。
【００６０】
ライト制御処理は、例えばＨＩビーム用ＬＥＤ２２がＯＮ状態にされると開始され、その後、ＨＩビーム用ＬＥＤ２２がＯＦＦ状態にされるまで繰り返し実施される処理である。より詳細には、図７に示すように、まず、眩惑検出処理を実施する（Ｓ１１０：眩惑検出手段）。
【００６１】
眩惑検出処理では、図８に示すように、まず、前方カメラ１５による撮像画像を取得し（Ｓ２１０）、この撮像画像から他人を検出する（Ｓ２２０：他人抽出手段）。ここで、他人とは、自車両とすれ違う対向車や自車両の前方を自車両と同方向に走行する先行車にいる乗員（特にドライバ）、或いは、歩行者や自転車に乗った者等の通行人が該当する。
【００６２】
Ｓ２２０の具体的な処理としては、通行人に該当する形状や、他車両の一対のライトが撮像画像中に存在した場合に、撮像画像中においてそれらの位置（アイポイントが位置すると推定される撮像画像における座標）を抽出する。なお、他車両の乗員の位置については、一対のライトの位置から推定すればよい。
【００６３】
続いて、距離検出装置１６による対象物の位置および対象物までの実測距離の検出結果を取得し、Ｓ２２０の処理にて検出された他人の位置と実測距離と関連付ける（Ｓ２３０：距離取得手段）。そして、Ｓ２２０の処理にて他人を検出したか否かを判定する（Ｓ２４０）。
【００６４】
他人を検出していなければ（Ｓ２４０：ＮＯ）、眩惑していない旨の判定結果をＲＡＭ等のメモリに記録し（Ｓ３３０）、眩惑検出処理を終了する。また、他人を検出していれば（Ｓ２４０：ＹＥＳ）、現状の照射状態（即ち、ＨＩビームの際の照射状態）に対応する防眩エリアマップを取得する（Ｓ２６０：第１境界距離抽出手段）。
【００６５】
次いで、現状の照射状態に関する防眩エリアマップにおいて他人の撮像画像中の位置に対応する境界距離（第１境界距離）を抽出し、この第１境界距離と、距離検出装置１６にて検出された実測距離とを比較する（Ｓ２７０：第１境界距離抽出手段）。第１境界距離が実測距離以下であれば（Ｓ２７０：ＮＯ）、眩惑していない旨の判定結果をＲＡＭ等のメモリに記録し（Ｓ３３０）、眩惑検出処理を終了する。なお、Ｓ３３０の処理の際に、メモリに「眩惑している旨の判定結果」が既に記録されている場合には、この記録内容をクリアする。
【００６６】
第１境界距離が実測距離よりも大きければ（Ｓ２７０：ＹＥＳ）、眩惑している旨の判定結果をＲＡＭ等のメモリに記録し（Ｓ２８０）、眩惑検出処理を終了する。なお、Ｓ２８０の処理の際に、メモリに「眩惑していない旨の判定結果」が既に記録されている場合には、この記録内容をクリアする。
【００６７】
このような眩惑検出処理が終了すると、図７に示すライト制御処理に戻り、眩惑検出処理にて眩惑している旨の判定結果が記録されたか否かを判定する（Ｓ１２０）。眩惑している旨の判定結果が記録されていなければ（Ｓ１２０：ＮＯ）、直ちにライト制御処理を終了する。即ち、他人を眩惑していない状態であると判定されたため、ヘッドライト２０による照射状態を現在の状態（ＨＩビーム）に維持する。
【００６８】
一方、眩惑している旨の判定結果が記録されていれば（Ｓ１２０：ＹＥＳ）、眩惑度合いを緩和するための第１光量変更処理を実施する（Ｓ１４０：光量変更手段）。この第１光量変更処理は、他人が検出された位置における光量が少なくなるようにすればよく、本実施形態においては、図９（ａ）に示すように、全てのＨＩビーム用ＬＥＤ２２を消灯する（Ｓ４１０）。つまり、この処理においては、全体の光量を減少させており、特にＨＩビーム用ＬＥＤ２２を消灯することによって、通常他人のアイポイントが位置する高さよりも下方に光軸を向けることになるので、他人を眩惑する度合いを軽減することができると考えられる。
【００６９】
このような光量変更処理が終了すると、ライト制御処理も終了する。
［効果］
以上のように詳述したライト制御装置１において、演算部１０は、ライト制御処理にて自車両のヘッドライト２０によって、他人を眩惑していることを検出し、他人を眩惑している旨が出力されると、撮像画像中の他人の位置におけるヘッドライト２０による光量が少なくなるように、ヘッドライト２０の光量または照射範囲を変更する。ここで、他人を眩惑していることを検出する際には、演算部１０は眩惑検出処理にて、防眩エリアマップを参照することによって、他人の位置に対応する境界距離を抽出し、距離検出装置１６が検出した実測距離と境界距離とを比較し、実測距離が境界距離以下であれば、自車両のヘッドライト２０によって他人を眩惑している旨を出力する。
【００７０】
ただし、防眩エリアマップとは、自車両のヘッドライト２０によって他人が眩惑されると推定される自車両と他人との距離の最大値を境界距離とし、撮像画像の領域を格子状に分割してなる分割領域毎に境界距離を示すことで構成されている。
【００７１】
このようなライト制御装置１によれば、防眩エリアマップに基づく境界距離と実測距離とを比較することによって他人を眩惑しているか否かを判定するので、この判定の際の処理を簡素にすることができる。よって、リアルタイムで他人を眩惑しているか否かを判定することができる。そして、他人を眩惑していると判定された場合に、撮像画像中の他人の位置におけるヘッドライト２０による光量が少なくするので、他人を眩惑する度合いを軽減することができる。
【００７２】
また、ライト制御装置１において利用される防眩エリアマップでは、分割領域毎に他人のアイポイントが位置するものとして演算されており、分割領域毎に他人の視線と車両のヘッドライト２０の照射方向とがなす入射角度および他人の眼前照度をSchmidt-Clausen and Bindels の式に入力することによって算出された不快グレアの評価値が予め設定された閾値以下となる距離の最大値を境界距離として設定している。
【００７３】
このようなライト制御装置１によれば、眩惑されているか否かの判定の際に利用する防眩エリアマップをSchmidt-Clausen and Bindelsの式に基づいて設定しているので、境界距離を論理的かつ高精度に設定することができる。
【００７４】
［第２実施形態］
［装置の構成および処理］
次に、別形態のライト制御装置２について説明する。本実施形態（第２実施形態）では、第１実施形態のライト制御装置１と異なる箇所のみを詳述し、第１実施形態のライト制御装置１と同様の箇所については、同一の符号を付して説明を省略する。
【００７５】
本実施形態のライト制御装置２において、ヘッドライト２０の制御部２１は、多数のＨＩビーム用ＬＥＤ２２の一部（例えば半数）だけを点灯・消灯できるよう構成されており、防眩エリアマップとしては、全てのＨＩビーム用ＬＥＤ２２および全てのＬＯＷビーム用ＬＥＤ２３を点灯させたときの防眩エリアマップ（以下、「第１エリアマップ」という。）と、一部のＨＩビーム用ＬＥＤ２２および全てのＬＯＷビーム用ＬＥＤ２３を点灯させたときの防眩エリアマップ（以下、「第２エリアマップ」という。）と、の２種類が準備されている。つまり、第２エリアマップは、第１エリアマップとは異なる配光データが利用されて生成されている。
【００７６】
そして、ライト制御処理では、全てのＨＩビーム用ＬＥＤ２２を点灯・消灯させるだけでなく、一部のＨＩビーム用ＬＥＤ２２を点灯・消灯させる制御も実施する。
本実施形態における具体的な処理内容については、図９（ｂ），図１０，および図１１を用いて説明する。図９（ｂ）は第２実施形態のライト制御処理のうちの第２光量変更処理を示すフローチャート、図１０は第２実施形態のライト制御処理を示すフローチャート、図１１は第２実施形態のライト制御処理のうちの眩惑検出処理を示すフローチャートである。
【００７７】
本実施形態のライト制御処理は、例えば、少なくとも一部のＨＩビーム用ＬＥＤ２２がＯＮ状態にされているときに繰り返し実施される処理であって、まず、図１１に示す眩惑検出処理を実施する。本実施形態の眩惑検出処理では、Ｓ２８０の処理において、眩惑している旨の判定結果をＲＡＭ等のメモリに記録した場合には（Ｓ２８０：眩惑判定出力手段）、一部のＨＩビーム用ＬＥＤ２２が消灯した状態であるか否かを判定する（Ｓ２９０）。
【００７８】
一部のＨＩビーム用ＬＥＤ２２が消灯した状態であれば（Ｓ２９０：ＹＥＳ）、ＨＩビーム用ＬＥＤ２２の一部を点灯させた状態での照射状態の変更は有効でない旨をＲＡＭ等のメモリに記録し（Ｓ３４０）、眩惑状態検出処理を終了する。また、全てのＨＩビーム用ＬＥＤ２２が点灯した状態であれば（Ｓ２９０：ＮＯ）、他の照射状態（つまり、一部のＨＩビーム用ＬＥＤ２２のみを点灯させた状態）に対応する防眩エリアマップ（第２エリアマップ）を取得する（Ｓ３００：第２境界距離抽出手段）。
【００７９】
そして、第２エリアマップにおいて他人の撮像画像中の位置に対応する境界距離（第２境界距離）を抽出し、この第２境界距離と、第１エリアマップにおける境界距離（第１境界距離）とを比較する（Ｓ３１０：第２境界距離抽出手段）。
【００８０】
第２境界距離が第１境界距離よりも大きければ（Ｓ３１０：ＹＥＳ）、他の照射状態に変更することが有効である旨の判定結果をＲＡＭ等のメモリに記録し（Ｓ３２０：照射状態変更出力手段）、眩惑検出処理を終了する。なお、Ｓ３２０の処理の際に、メモリに「照射状態の変更は有効でない旨の判定結果」が既に記録されている場合には、この記録内容をクリアする。
【００８１】
第２境界距離が第１境界距離以下であれば（Ｓ３１０：ＮＯ）、ＨＩビーム用ＬＥＤ２２の一部を点灯させた状態での照射状態の変更は有効でない旨をＲＡＭ等のメモリに記録し（Ｓ３４０）、眩惑状態検出処理を終了する。なお、Ｓ３４０の処理の際に、メモリに「他の照射状態に変更することが有効である旨の判定結果」が既に記録されている場合には、この記録内容をクリアする。
【００８２】
次に、本実施形態のライト制御処理（図１０）においては、眩惑している旨の判定結果が記録されていれば（Ｓ１２０：ＹＥＳ）、他の照射状態に変更することが有効である旨が記録されているか否かを判定する（Ｓ１３０）。他の照射状態に変更することが有効である旨が記録されていなければ（Ｓ１３０：ＮＯ）、前述の第１光量変更処理を実施する（Ｓ１４０）。
【００８３】
また、他の照射状態に変更することが有効である旨が記録されていれば（Ｓ１３０：ＹＥＳ）、第２光量変更処理を実施する（Ｓ１５０：光量変更手段）。この第２光量変更処理は、図９（ｂ）に照射状態の変更が有効な他の照射状態に変更する制御指令を送信し（Ｓ４２０）、光量変更処理およびライト制御処理を終了する。
【００８４】
［効果］
以上のように詳述したライト制御装置２において、演算部１０はライト制御処理にて、他人を眩惑していることを検出するとともに、現在のヘッドライト２０の照射状態から予め設定された他の照射状態に変更したときに他人を眩惑する度合いが低くなるか否かを検出する。そして、演算部１０は、他人を眩惑している旨が出力され、かつヘッドライト２０の照射状態を他の照射状態に変更したときに他人を眩惑する度合いが低くなる旨が出力された場合に、ヘッドライト２０の照射状態を他の照射に変更する。
【００８５】
ここで、他人を眩惑していることを検出する際には、演算部１０は眩惑検出処理にて、現在のヘッドライト２０の照射状態における境界距離が対応付けられた防眩エリアマップである第１エリアマップを参照することによって他人の位置に対応する境界距離である第１境界距離を抽出する。また、演算部１０は、自車両のヘッドライト２０の照射状態を現在のヘッドライト２０の照射状態とは異なる予め設定された他の照射状態に変更したときにおける境界距離が対応付けられた防眩エリアマップである第２エリアマップ、を参照することによって、他人の位置に対応する境界距離である第２境界距離を抽出する。そして、演算部１０は、第２境界距離と第１境界距離とを比較し、第１境界距離よりも第２境界距離が大きければ、ヘッドライト２０の照射状態を他の照射状態に変更するとよい旨を出力する。
【００８６】
このようなライト制御装置２によれば、自車両のヘッドライト２０の照射状態を現在のヘッドライト２０の照射状態から予め設定された他の照射状態に変更したときに、他人を眩惑する度合いが軽減するか否かを判定することができる。従って、ヘッドライト２０の照射状態を他の照射状態に切り換える前に、ヘッドライト２０の照射状態を切り換えることに意義があるか否かを検証することができる。
【００８７】
そして、本発明のライト制御装置１，２によれば、ヘッドライト２０の照射状態を他の照射状態に変更したときに他人を眩惑する度合いが低くなる場合に、ヘッドライト２０の照射状態を他の照射に変更するので、ヘッドライト２０の照射状態が無意味に変更されることを防止することができる。
【００８８】
［その他の実施形態］
本発明の実施の形態は、上記の実施形態に何ら限定されることはなく、本発明の技術的範囲に属する限り種々の形態を採りうる。
【００８９】
例えば、ＬＯＷビーム（ＬＯＷビーム用ＬＥＤ２３のみが点灯）の際の防眩エリアマップを準備しておき、ＬＯＷビームに変更したとしても他人を眩惑する度合いが軽減されない場合には、ヘッドライト２０の照射状態（光量、照射範囲）を変更しないようにしてもよい。
【００９０】
防眩エリアマップは、光軸の向き（鉛直方向および水平方向）に応じてそれぞれ設けられていてもよい。即ち、他の照射状態における境界距離が対応付けられた第２エリアマップとして、複数の防眩エリアマップが準備していてもよい。この場合において照射状態を変更する処理（照射状態変更手段：Ｓ３００〜Ｓ３１０）では、第１境界距離よりも境界距離が大きくなる第２エリアマップを選択するようにすればよい。この際、第１境界距離と、全ての第２エリアマップの境界距離とを比較する必要はなく、第１境界距離よりも境界距離が大きくなる第２エリアマップが抽出できた時点で、その第２エリアマップを採用すればよい。また、第１境界距離と、全ての第２エリアマップの境界距離とを比較する場合には、第２境界距離が実測距離以上であって、かつ最も実測距離に近い値のものを採用すればよい。
【００９１】
このようにすれば、自車両のドライバの視界を最大限確保しつつ、他人を眩惑しないようにすることができる。特に、他人として歩行者を検出した場合には、歩行者を眩惑することなく歩行者の胴体にはヘッドライト２０の光を照射することができるので、自車両のドライバが歩行者を確認しやすくすることができる。よって、安全性を向上させることができる。
【００９２】
さらに、防眩エリアマップの種別としては、ヘッドライト２０の光量を変更した場合や、ヘッドライト２０を構成する一部のＬＥＤ２２，２３を消灯させたとき等のものを準備しておくことも考えられる。この場合には、他人の位置に応じてスポット的に光量を減少させることができる。また、雨天時や濃霧時等、天候に応じて防眩エリアマップを準備しておいてもよい。
【００９３】
さらに、上記実施形態においては、他人を眩惑しているか否かの判定結果をライト制御に利用したが、例えば、車両制御に利用することもできる。具体的には、先行車を眩惑しているか否かの判定結果に応じて車間距離を制御し、先行車を眩惑するかしないかの車間距離を維持することが考えられる。
【００９４】
また、他人を眩惑しているか否かの判定結果を他車両に対して車車間通信等の通信手段を介して送信することも考えられる。この場合には、判定結果を受けた他車両が防眩に関する対処を実施することができる。
【図面の簡単な説明】
【００９５】
【図１】本発明が適用されたライト制御装置１の概略構成を示すブロック図である。
【図２】前方カメラ１５による撮像画像の領域を画素毎に分割した模式図、および縦方向および横方向の中央部分において対応付けられた境界距離を示すグラフである。
【図３】防眩エリアマップの概略図（ａ）、自車両の構成およびマップ生成に使用するパラメータを示す説明図（ｂ）、他車両に関するパラメータを示す説明図（ｃ）である。
【図４】入力ファイル（配光データ）の詳細を示す表（ａ）、配光データの内容を視覚的に表した等光度曲線図（ｂ）である。
【図５】各種パラメータ，定数を示す一覧表である。
【図６】眼前照度の算出に使用するパラメータの算出原理を示す説明図である。
【図７】第１実施形態のライト制御処理を示すフローチャートである
【図８】第１実施形態の眩惑検出処理を示すフローチャートである
【図９】第１光量変更処理を示すフローチャート（ａ）、第２光量変更処理を示すフローチャート（ｂ）である。
【図１０】第２実施形態のライト制御処理を示すフローチャートである
【図１１】第２実施形態の眩惑検出処理を示すフローチャートである。
【符号の説明】
【００９６】
１…ライト制御装置、２…ライト制御装置、３…ＣＡＮ通信線、５…ＬＩＮ通信線、１０…演算部、１１…データ記録部、１５…前方カメラ、１６…距離検出装置、２０…ヘッドライト、２１…制御部、２２…ＨＩビーム用ＬＥＤ、２３…ＬＯＷビーム用ＬＥＤ。
【図１】
2010030522.tif 000008
【図２】
2010030522.tif 000009
【図５】
2010030522.tif 000010
【図６】
2010030522.tif 000011
【図７】
2010030522.tif 000012
【図８】
2010030522.tif 000013
【図９】
2010030522.tif 000014
【図１０】
2010030522.tif 000015
【図１１】
2010030522.tif 000016
【図３】
2010030522.tif 000017
【図４】
2010030522.tif 000018